(57)【要約】      （修正有）【課題】把持部が固定物から突出せずに外観が良好となり、しかも、把持部を摘んで固定物を容易に取り出すことができる締め付け固定装置を提供する。【解決手段】締め付け固定装置は、ねじ孔19と合致する通孔32を有する固定物30と、通孔からねじ孔にねじ込むことで固定物を支持体15に固定する締め付け部材55とを備えている。締め付け部材は、通孔から固定物の外に突没可能であるとともに、雄ねじ部57の反対側に着脱用工具が引っ掛かる凹状の係合部61が形成された端面60を有する把持部56と、雄ねじ部と把持部との間に位置するストッパ58とを含む。雄ねじ部がねじ孔にねじ込まれた状態では、把持部の端面が通孔の内側に位置し、雄ねじ部がねじ孔から外れた状態では、把持部が通孔から固定物の外に突出するとともに、ストッパが固定物に引っ掛かって締め付け部材を固定物に保持する。【選択図】図６
2010123795.tif 000002
【特許請求の範囲】
【請求項１】
ねじ孔を有する支持体と、
上記ねじ孔と合致する通孔を有する固定物と、
上記通孔から上記ねじ孔にねじ込むことで、上記固定物を上記支持体に取り外し可能に固定する締め付け部材と、を具備し、
上記締め付け部材は、(1)上記ねじ孔にねじ込まれる雄ねじ部と、(2)上記雄ねじ部に同軸状に設けられ、上記通孔から上記固定物の外に突没可能であるとともに、上記雄ねじ部の反対側に着脱用工具が引っ掛かる凹状の係合部が形成された端面を有する把持部と、(3)上記雄ねじ部と上記把持部との間に位置するとともに、上記雄ねじ部および上記把持部よりも径方向外側に張り出すストッパと、を含み、
上記締め付け部材の雄ねじ部が上記ねじ孔にねじ込まれた状態では、上記締め付け部材を介して上記固定物が上記支持体に固定されるとともに、上記把持部の端面が上記通孔の内側に位置し、
上記締め付け部材を弛めて上記雄ねじ部が上記ねじ孔から外れた状態では、上記把持部が上記通孔から上記固定物の外に突出するとともに、上記ストッパが上記固定物に引っ掛かって上記締め付け部材を上記固定物に保持することを特徴とする締め付け固定装置。
【請求項２】
請求項１の記載において、上記締め付け部材の雄ねじ部が上記ねじ孔にねじ込まれた状態では、上記把持部の端面が上記固定物の外面と同一の面上に位置することを特徴とする締め付け固定装置。
【請求項３】
請求項２の記載において、上記ストッパは、上記把持部の周方向に連続するフランジ状をなすとともに、上記固定物は、上記ストッパの外周面が摺動可能に接するガイド部を有し、上記ガイド部は、上記把持部の軸方向に延びていることを特徴とする締め付け固定装置。
【請求項４】
請求項３の記載において、上記固定物は、上記雄ねじ部を上記ねじ孔にねじ込んだ時に、上記ストッパを受け止めるとともに上記支持体に突き当たる受け部を有することを特徴とする締め付け固定装置。
【請求項５】
請求項１ないし請求項４のいずれか一項の記載において、上記締め付け部材を上記通孔に向けて弾性的に付勢する弾性体をさらに備えていることを特徴とする締め付け固定装置。
【請求項６】
開口部と、この開口部と向かい合うねじ孔と、を有する収容部と、
上記開口部から上記収容部に取り出し可能に挿入され、上記ねじ孔と合致する通孔を有するモジュールと、
上記モジュールが上記収容部に挿入された時に、上記通孔から上記ねじ孔にねじ込むことで、上記モジュールを上記収容部に取り外し可能に固定する締め付け部材と、を具備し、
上記締め付け部材は、(1)上記ねじ孔にねじ込まれる雄ねじ部と、(2)上記雄ねじ部に同軸状に設けられ、上記通孔から上記モジュールの外に突没可能であるとともに、上記雄ねじ部の反対側に着脱用工具が引っ掛かる凹状の係合部が形成された端面を有する把持部と、(3)上記雄ねじ部と上記把持部との間に位置するとともに、上記雄ねじ部および上記把持部よりも径方向外側に張り出すストッパと、を含み、
上記締め付け部材の雄ねじ部が上記ねじ孔にねじ込まれた状態では、上記締め付け部材を介して上記モジュールが上記収容部に固定されるとともに、上記把持部の端面が上記通孔の内側に位置し、
上記締め付け部材を弛めて上記雄ねじ部が上記ねじ孔から外れた状態では、上記把持部が上記通孔から上記モジュールの外に突出するとともに、上記ストッパが上記モジュールに引っ掛かって上記締め付け部材を上記モジュールに保持することを特徴とするモジュール取り付け構造。
【請求項７】
請求項６の記載において、上記モジュールは、上記収容部の外に露出する外面を有し、上記締め付け部材の雄ねじ部が上記ねじ孔にねじ込まれた状態では、上記把持部の端面が上記モジュールの外面と同一の面上に位置することを特徴とするモジュール取り付け構造。
【請求項８】
請求項７の記載において、上記ストッパは、上記把持部の周方向に連続するフランジ状をなすとともに、上記モジュールは、上記ストッパの外周面が摺動可能に接するガイド部を有し、上記ガイド部は、上記把持部の軸方向に延びていることを特徴とするモジュール取り付け構造。
【請求項９】
請求項８の記載において、上記モジュールは、上記雄ねじ部を上記ねじ孔にねじ込んだ時に、上記ストッパを受け止める受け部を有することを特徴とするモジュール取り付け構造。
【請求項１０】
請求項９の記載において、上記収容部は、上記モジュールの挿入方向をガイドする壁と、この壁の上記開口部と向かい合う端部に保持された固定具と、を含み、この固定具に上記ねじ孔が形成されているとともに、上記モジュールの受け部は、上記締め付け部材の雄ねじ部を上記ねじ孔にねじ込んだ時に、上記固定具に突き当たることを特徴とするモジュール取り付け構造。
【請求項１１】
請求項１０の記載において、上記締め付け部材のストッパは、上記雄ねじ部を上記ねじ孔にねじ込んだ時に、上記固定具との間で上記モジュールの受け部を挟み込んでいることを特徴とするモジュール取り付け構造。
【請求項１２】
請求項６ないし請求項１１のいずれか一項の記載において、上記締め付け部材を上記通孔に向けて弾性的に付勢する弾性体をさらに備えていることを特徴とするモジュール取り付け構造。
【請求項１３】
収容部と、この収容部に連なる開口部と、上記開口部と向かい合うねじ孔と、を有する筐体と、
上記筐体の収容部に取り出し可能に挿入される回路板と、この回路板の一端に設けられ、上記回路板を上記収容部に挿入した時に上記開口部を閉じるとともに、上記ねじ孔と合致する通孔が形成されたフロントパネルと、を有する回路モジュールと、
上記回路板が上記収容部に挿入された時に、上記通孔から上記ねじ孔にねじ込むことで上記回路モジュールを上記筐体に取り外し可能に固定する締め付け部材と、を具備し、
上記締め付け部材は、(1)上記ねじ孔にねじ込まれる雄ねじ部と、(2)上記雄ねじ部に同軸状に設けられ、上記通孔から上記フロントパネルの外に突没可能であるとともに、上記雄ねじ部の反対側に着脱用工具が引っ掛かる凹状の係合部が形成された端面を有する把持部と、(3)上記雄ねじ部と上記把持部との間に位置するとともに、上記雄ねじ部および上記把持部よりも径方向外側に張り出すストッパと、を含み、
上記締め付け部材の雄ねじ部が上記ねじ孔にねじ込まれた状態では、上記締め付け部材を介して上記回路モジュールが上記筐体に固定されるとともに、上記把持部の端面が上記フロントパネルの通孔の内側に位置し、
上記締め付け部材を弛めて上記雄ねじ部が上記ねじ孔から外れた状態では、上記把持部が上記通孔から上記フロントパネルの外に突出するとともに、上記ストッパが上記フロントパネルに引っ掛かって上記締め付け部材を上記フロントパネルに保持することを特徴とする情報処理装置。
【請求項１４】
請求項１３の記載において、上記フロントパネルは、上記筐体の外に露出する外面を有し、上記締め付け部材の雄ねじ部が上記ねじ孔にねじ込まれた状態では、上記把持部の端面が上記フロントパネルの外面と同一の面上に位置することを特徴とする情報処理装置。
【請求項１５】
請求項１４の記載において、上記ストッパは、上記把持部の周方向に連続するフランジ状をなすとともに、上記フロントパネルは、上記ストッパの外周面が摺動可能に接するガイド部を有し、上記ガイド部は上記把持部の軸方向に延びていることを特徴とする情報処理装置。
【請求項１６】
請求項１４の記載において、上記筐体および上記回路モジュールのフロントパネルは、夫々導電性を有し、上記フロントパネルは、上記雄ねじ部を上記ねじ孔にねじ込んだ時に、上記ストッパを受け止める金属製の受け部を含み、この受け部は上記フロントパネルに電気的に導通されているとともに、
上記筐体の収容部は、上記回路板の挿入方向をガイドする壁と、この壁の上記開口部と向かい合う端部に保持されて上記筐体に電気的に導通された固定具と、を含み、この固定具に上記ねじ孔が形成されているとともに、上記フロントパネルの受け部は、上記締め付け部材の雄ねじ部を上記ねじ孔にねじ込んだ時に、上記固定具に突き当たることを特徴とする情報処理装置。
【請求項１７】
請求項１６の記載において、上記締め付け部材のストッパは、上記雄ねじ部を上記ねじ孔にねじ込んだ時に、上記固定具との間で上記受け部を挟み込んでいることを特徴とする情報処理装置。
【請求項１８】
請求項１３ないし請求項１７のいずれか一項の記載において、上記フロントパネルは、ケーブルを接続するためのコネクタを有することを特徴とする情報処理装置。
【請求項１９】
請求項１３ないし請求項１８のいずれか一項の記載において、上記締め付け部材を上記通孔に向けて弾性的に付勢する弾性体をさらに備えていることを特徴とする情報処理装置。
【発明の詳細な説明】
【技術分野】
【０００１】
本発明は、雄ねじ部を有する締め付け部材を用いて固定物を支持体に取り外し可能に固定する締め付け固定装置および収容部に挿入されたモジュールを雄ねじ部を有する締め付け部材を用いて収容部に取り外し可能に固定するモジュール取り付け構造に関する。
【０００２】
さらに、本発明は、筐体の内部に回路モジュールを取り出し可能に収容した情報処理装置に関する。
【背景技術】
【０００３】
特許文献１は、例えば通信系の分野に用いられる情報処理装置を開示している。この種の情報処理装置は、箱状の筐体と、筐体の内部に選択的に取り出し可能に挿入される複数の印刷基板ユニットと、を備えている。筐体は、印刷基板ユニットを収用する収容部と、収容部に連なる開口部とを有し、この開口部と向かい合う収容部の終端にコネクタが配置されている。
【０００４】
印刷基板ユニットは、ＩＣチップのような電子部品が実装された配線基板と、この配線基板の一端に固定されたフロントパネルとを備えている。配線基板は、開口部から筐体の収容部に挿入されており、この配線基板の挿入先端部がコネクタに接続されている。フロントパネルは、配線基板がコネクタに接続された時に、筐体の開口部を閉塞するようになっている。
【０００５】
特許文献１に開示された情報処理装置では、フロントパネルの中央部に固定ねじが取り付けられている。固定ねじは、フロントパネルに脱落不能に保持されており、この固定ねじを筐体のフレームにねじ込むことで、印刷基板ユニットが筐体に固定される。固定ねじは、円柱状の摘み部を有している。摘み部は、オペレータが手の指先で容易に掴むことができるように、フロントパネルの前面から突出している。
【０００６】
さらに、印刷基板ユニットのフロントパネルにハンドルが取り付けられている。ハンドルは、印刷基板ユニットを筐体の収容部から引き出す時に手の指先を掛けるためのものであり、フロントパネルから筐体の外に突出している。
【０００７】
したがって、印刷基板ユニットを筐体から取り出すに当たっては、固定ねじを弛めて筐体に対するフロントパネルの固定を解除した後、ハンドルに手の指先を引っ掛けて印刷基板ユニットを手前に引っ張る。これにより、印刷基板ユニットを筐体の収容部から引き出すことができる。
【特許文献１】特開平９−２６０８７５号公報
【発明の開示】
【発明が解決しようとする課題】
【０００８】
従来の情報処理装置によると、固定ねじの摘み部およびハンドルは、印刷基板ユニットが筐体に固定された状態においても常に印刷基板ユニットのフロントパネルから筐体の外に飛び出している。
【０００９】
このような構成では、摘み部およびハンドルの存在が強調されるので、印刷基板ユニットのフロントパネルと筐体との一体感が失われてしまい、情報処理装置の外観を低下させる要因となる。
【００１０】
さらに、筐体の手前に摘み部およびハンドルを収める余分なスペースを確保しなくてはならず、情報処理装置の設置場所が制約を受けることがあり得る。
【００１１】
本発明の目的は、固定物を支持体に固定した状態では、締め付け部材の把持部が固定物から突出せず、外観が良好となるとともに、固定物を支持体から取り出す時には、把持部をしっかりと摘んで固定物の取り出し作業を容易に行なうことができる締め付け固定装置を得ることにある。
【００１２】
本発明の他の目的は、モジュールを収容部に固定した状態では、締め付け部材の把持部がモジュールから突出せず、外観が良好となるとともに、モジュールを収容部から取り出す時には、把持部をしっかりと摘んでモジュールの取り出し作業を容易に行なうことができるモジュール取り付け構造を得ることにある。
【００１３】
本発明のさらに他の目的は、回路モジュールを筐体に固定した状態では、締め付け部材の把持部が回路モジュールのフロントパネルから突出せず、外観が良好となるとともに、回路モジュールを筐体から取り出す時には、把持部をしっかりと摘んで回路モジュールの取り出し作業を容易に行なうことができる情報処理装置を得ることにある。
【課題を解決するための手段】
【００１４】
上記目的を達成するため、本発明の一つの形態に係る締め付け固定装置は、  
ねじ孔を有する支持体と、上記ねじ孔と合致する通孔を有する固定物と、上記通孔から上記ねじ孔にねじ込むことで、上記固定物を上記支持体に取り外し可能に固定する締め付け部材と、備えている。  
上記締め付け部材は、(1)上記ねじ孔にねじ込まれる雄ねじ部と、(2)上記雄ねじ部に同軸状に設けられ、上記通孔から上記固定物の外に突没可能であるとともに、上記雄ねじ部の反対側に着脱用工具が引っ掛かる凹状の係合部が形成された端面を有する把持部と、(3)上記雄ねじ部と上記把持部との間に位置するとともに、上記雄ねじ部および上記把持部よりも径方向外側に張り出すストッパと、を含んでいる。  
上記締め付け部材の雄ねじ部が上記ねじ孔にねじ込まれた状態では、上記締め付け部材を介して上記固定物が上記支持体に固定されるとともに、上記把持部の端面が上記通孔の内側に位置し、  
上記締め付け部材を弛めて上記雄ねじ部が上記ねじ孔から外れた状態では、上記把持部が上記通孔から上記固定物の外に突出するとともに、上記ストッパが上記固定物に引っ掛かって上記締め付け部材を上記固定物に保持することを特徴としている。
【００１５】
上記目的を達成するため、本発明の一つの形態に係るモジュール取り付け構造は、  
開口部と、この開口部と向かい合うねじ孔と、を有する収容部と、  
上記開口部から上記収容部に取り出し可能に挿入され、上記ねじ孔と合致する通孔を有するモジュールと、  
上記モジュールが上記収容部に挿入された時に、上記通孔から上記ねじ孔にねじ込むことで、上記モジュールを上記収容部に取り外し可能に固定する締め付け部材と、を備えている。  
上記締め付け部材は、(1)上記ねじ孔にねじ込まれる雄ねじ部と、(2)上記雄ねじ部に同軸状に設けられ、上記通孔から上記モジュールの外に突没可能であるとともに、上記雄ねじ部の反対側に着脱用工具が引っ掛かる凹状の係合部が形成された端面を有する把持部と、(3)上記雄ねじ部と上記把持部との間に位置するとともに、上記雄ねじ部および上記把持部よりも径方向外側に張り出すストッパと、を含んでいる。  
上記締め付け部材の雄ねじ部が上記ねじ孔にねじ込まれた状態では、上記締め付け部材を介して上記モジュールが上記収容部に固定されるとともに、上記把持部の端面が上記通孔の内側に位置し、  
上記締め付け部材を弛めて上記雄ねじ部が上記ねじ孔から外れた状態では、上記把持部が上記通孔から上記モジュールの外に突出するとともに、上記ストッパが上記モジュールに引っ掛かって上記締め付け部材を上記モジュールに保持することを特徴としている。
【００１６】
上記目的を達成するため、本発明の一つの形態に係る情報処理装置は、  
収容部と、この収容部に連なる開口部と、上記開口部と向かい合うねじ孔と、を有する筐体と、  
上記筐体の収容部に取り出し可能に挿入される回路板と、この回路板の一端に設けられ、上記回路板を上記収容部に挿入した時に上記開口部を閉じるとともに、上記ねじ孔と合致する通孔が形成されたフロントパネルと、を有する回路モジュールと、  
上記回路板が上記収容部に挿入された時に、上記通孔から上記ねじ孔にねじ込むことで上記回路モジュールを上記筐体に取り外し可能に固定する締め付け部材と、を備えている。  
上記締め付け部材は、(1)上記ねじ孔にねじ込まれる雄ねじ部と、(2)上記雄ねじ部に同軸状に設けられ、上記通孔から上記フロントパネルの外に突没可能であるとともに、上記雄ねじ部の反対側に着脱用工具が引っ掛かる凹状の係合部が形成された端面を有する把持部と、(3)上記雄ねじ部と上記把持部との間に位置するとともに、上記雄ねじ部および上記把持部よりも径方向外側に張り出すストッパと、を含んでいる。  
上記締め付け部材の雄ねじ部が上記ねじ孔にねじ込まれた状態では、上記締め付け部材を介して上記回路モジュールが上記筐体に固定されるとともに、上記把持部の端面が上記フロントパネルの通孔の内側に位置し、  
上記締め付け部材を弛めて上記雄ねじ部が上記ねじ孔から外れた状態では、上記把持部が上記通孔から上記フロントパネルの外に突出するとともに、上記ストッパが上記フロントパネルに引っ掛かって上記締め付け部材を上記フロントパネルに保持することを特徴としている。
【発明の効果】
【００１７】
本発明によれば、締め付け部材の把持部が外観的な面で問題となることはなく、体裁が良好となる。それとともに、回路モジュールのような固定物を筐体から取り外す際には、把持部をしっかりと掴むことができ、固定物を取り外す際の作業性が良好となる。
【発明を実施するための最良の形態】
【００１８】
以下本発明の第１の実施の形態を、図１ないし図７に基づいて説明する。
【００１９】
図１は、例えば電話交換機のような情報処理装置１を開示している。情報処理装置１は、筐体２を備えている。筐体２は、底板３、天板４、および左右の側板５ａ，５ｂを有するフラットな四角い箱状をなしている。本実施の形態によると、筐体２は、例えば鋼板のような金属材料で構成されて、導電性を有している。
【００２０】
図１および図４に示すように、筐体２は、収容部６および開口部７を備えている。収容部６は、底板３、天板４、および左右の側板５ａ，５ｂによって取り囲まれた空間によって規定されている。開口部７は、収容部６に連通する四角い開口形状を有するとともに、筐体２の前端に位置している。
【００２１】
収容部６は、合成樹脂製の中央隔壁８によって第１の収容室１０ａと第２の収容室１０ｂとに仕切られている。中央隔壁８は、筐体２の幅方向に沿う中央に位置するとともに、筐体２の奥行き方向に真っ直ぐに延びている。そのため、第１の収容室１０ａと第２の収容室１０ｂとは、筐体２の幅方向に並んでいる。
【００２２】
第１の収容室１０ａおよび第２の収容室１０ｂは、互いに共通の構成を有するため中央隔壁８の左側に位置する第１の収容室１０ａを代表して説明する。図４に示すように、第１の収容室１０ａの内部に合成樹脂製のガイド壁１１が設置されている。ガイド壁１１は、筐体２の左側の側板５ａに沿って筐体２の奥行き方向に真っ直ぐに延びている。
【００２３】
中央隔壁８は、第１の収容室１０ａに露出する垂直な壁面８ａを有している。壁面８ａに第１のガイド溝１２ａおよび第２のガイド溝１２ｂが形成されている。第１および第２のガイド溝１２ａ，１２ｂは、筐体２の奥行き方向に沿って真っ直ぐに延びているとともに、筐体２の高さ方向に間隔を存して互いに平行に配置されている。
【００２４】
ガイド壁１１は、第１の収容室１０ａに露出する垂直な壁面１１ａを有している。壁面１１ａに第３のガイド溝１２ｃおよび第４のガイド溝１２ｄが形成されている。第３および第４のガイド溝１２ｃ，１２ｄは、筐体２の奥行き方向に沿って真っ直ぐに延びているとともに、筐体２の高さ方向に間隔を存して互いに平行に配置されている。
【００２５】
第１のガイド溝１２ａと第３のガイド溝１２ｃとは、第１の収容室１０a内で筐体２の幅方向に互いに向かい合っている。同様に、第２のガイド溝１２ｂと第４のガイド溝１２ｄとは、第１の収容室１０a内で筐体２の幅方向に互いに向かい合っている。
【００２６】
さらに、第１および第２のガイド溝１２ａ，１２ｂは、開口部７と向かい合う中央隔壁８の前端面に開口されているとともに、第３および第４のガイド溝１２ｃ，１２ｄは、開口部７と向かい合うガイド壁１１の前端面に開口されている。
【００２７】
図２に示すように、開口部７と向かい合う中央隔壁８の前端に金属製の固定具１５が取り付けられている。固定具１５は、支持体の一例であって、起立板１６、第１の支持片１７ａおよび第２の支持片１７ｂを有している。
【００２８】
起立板１６は、中央隔壁８に沿って起立するように、中央隔壁８の前端面に保持されている。第１の支持片１７ａは、起立板１６の上縁から筐体２の後方に直角に折り曲げられて、中央隔壁８の上面に重ね合わされている。第２の支持片１７ｂは、起立板１６の下縁から筐体２の後方に直角に折り曲げられて、中央隔壁８の下面に重ね合わされている。
【００２９】
さらに、起立板１６の左側部および右側部に、夫々一対のねじ孔１９および一対の切り欠き２０が形成されている。ねじ孔１９は、中央隔壁８の高さ方向に互いに離れているとともに、筐体２の開口部７と向かい合っている。切り欠き２０は、第１および第２のガイド溝１２ａ，１２ｂの開口端を露出させるように切り欠かれている。
【００３０】
本実施の形態によると、固定具１５は、中央隔壁８の開口部７とは反対側の後端にも保持されているとともに、開口部７と向かい合うガイド壁１１の前端および開口部７とは反対側に位置するガイド壁１１の後端にも保持されている。
【００３１】
図４および図５に示すように、筐体２の底板３は、中央隔壁８の下面および固定具１５の第２の支持片１７ｂの下面に重ね合わされている。底板３は、皿ねじ２１を介して第２の支持片１７ｂに固定されている。皿ねじ２１は、第２の支持片１７ｂに開けたねじ孔２２にねじ込まれている。
【００３２】
筐体２の天板４は、中央隔壁８の上面および固定具１５の第１の支持片１７ａの上面に重ね合わされている。天板４は、他の皿ねじ２３を介して第１の支持片１７ａに固定されている。皿ねじ２３は、第１の支持片１７ａに開けたねじ孔２４にねじ込まれている。
【００３３】
したがって、本実施の形態では、中央隔壁８およびガイド壁１１は、固定具１５を介して筐体２の底板３および天板４に支持されている。それとともに、固定具１５は、筐体２の底板３および天板４に接することで、筐体２に電気的に導通されている。
【００３４】
図１、図４および図５に示すように、筐体２の第１の収容室１０ａに二つの回路モジュール２６，２７が選択的に取り出し可能に収容されている。回路モジュール２６，２７は、第１の収容室１０ａ内で筐体２の高さ方向に積層されている。
【００３５】
回路モジュール２６，２７は、互いに共通の構成を有している。そのため、本実施の形態では、上段に位置する一方の回路モジュール２６を代表して説明し、下段に位置する他の回路モジュール２７については同一の参照符号を付して、その説明を省略する。
【００３６】
回路モジュール２６は、プリント回路板２９とフロントパネル３０とを備えている。プリント回路板２９は、筐体２の開口部７から第１の収容室１０ａに挿入されている。プリント回路板２９の左右の側縁部は、第１および第２のガイド溝１２ａ，１２ｂに摺動可能に嵌合されている。この結果、プリント回路板２９は、中央隔壁８とガイド壁１１との間に跨るように水平に保持されており、このプリント回路板２９の上面に例えばＩＣチップのような複数の回路部品３１が実装されている。
【００３７】
プリント回路板２９が第１の収容室１０ａに完全に挿入された状態では、プリント回路板２９の挿入先端に位置する接続プラグ（図示せず）が第１の収容室１０ａ内のコネクタに電気的に接続されるようになっている。
【００３８】
フロントパネル３０は、固定物の一例であって、プリント回路板２９の一端に位置している。フロントパネル３０は、筐体２の幅方向に沿って延びる細長い板状をなしており、プリント回路板２９が第１の収容室１０ａに完全に挿入された時に、筐体２の開口部７を閉塞する。
【００３９】
フロントパネル３０が開口部７を閉塞した状態では、フロントパネル３０の前面が筐体２の外に露出する外面として機能するとともに、フロントパネル３０の右端部および左端部が固定具１５と向かい合うようになっている。このフロントパネル３０の右端部および左端部に夫々円形の通孔３２（一方のみを図示）が形成されている。通孔３２は、ねじ孔１９と合致するとともに、ねじ孔１９よりも大きな径を有している。
【００４０】
さらに、図１に示すように、フロントパネル３０は、ＬＡＮコネクタ３３を有している。ＬＡＮコネクタ３３は、図５に示すＬＡＮケーブル３４を接続し得るように、フロントパネル３０の前面に開口されている。
【００４１】
図２、図３および図５に示すように、フロントパネル３０は、上部フランジ３６および下部フランジ３７を有している。上部フランジ３６は、フロントパネル３０の上縁からフロントパネル３０の後方に向けて水平に延びている。上部フランジ３６は、プリント回路板２９が第１の収容室１０ａに完全に挿入された時に、筐体２の天板４の前縁に突き当たるとともに、天板４と同一の平面上に位置するようになっている。
【００４２】
下部フランジ３７は、フロントパネル３０の下縁からフロントパネル３０の後方に向けて延出されている。下部フランジ３７の途中に上方に向けてクランク状に折り曲げられた段差部３８が形成されている。段差部３８の先端部は、上部フランジ３６と平行となるように水平に延びており、この段差部３８の先端部の下面にプリント回路板２９の一端部が例えばねじ止めのような手段で固定されている。
【００４３】
図３および図５に示すように、フロントパネル３０の上部フランジ３６に金属製のガイド固定具４０が取り付けられている。ガイド固定具４０は、金具本体４１と受け部４２とを有している。
【００４４】
金具本体４１は、上部フランジ３６の下面に重なり合うとともに、この上部フランジ３６に皿ねじ４３を介して固定されている。さらに、金具本体４１は、一対の固定片４４（一方のみを図示）を有している。固定片４４は、金具本体４１の左側縁および右側縁から下向きに延出されて互いに向かい合っている。
【００４５】
受け部４２は、金具本体４１の後縁から下向きに延びるとともに、フロントパネル３０と向かい合うように起立している。受け部４２は、プリント回路板２９が第１の収容室１０ａに完全に挿入された時に、固定具１５の起立板１６に突き当たる。
【００４６】
受け部４２は、円形の貫通孔４５を有している。貫通孔４５は、受け部４２が起立板１６に突き当たった時に、固定具１５のねじ孔１９と同軸状に合致する。貫通孔４５は、ねじ孔１９よりも大きな径を有している。
【００４７】
ガイド固定具４０は、合成樹脂製のねじガイド４７を支持している。ねじガイド４７は、端板４８と一対のガイド部４９ａ，４９ｂとを有している。端板４８は、円形の連通孔５０を有するとともに、フロントパネル３０の背面に重ね合わされている。連通孔５０は、フロントパネル３０の通孔３２と合致するとともに、通孔３２と同等の径を有している。
【００４８】
ガイド部４９ａ，４９ｂは、端板４８の背面からガイド固定具４０の受け部４２に向けて突出するとともに、端板４８の高さ方向に間隔を存して互いに平行に配置されている。ガイド部４９ａ，４９ｂは、夫々ガイド面５１ａ，５１ｂを有している。ガイド面５１ａ，５１ｂは、互いに向かい合うとともに、円弧状に湾曲されている。ガイド面５１ａ，５１ｂが描く円弧の中心は、互いに共通となっている。
【００４９】
上段に位置する一方のガイド部４９aの左右の側面に夫々凹所５２が形成されている。凹所５２にガイド固定具４０の固定片４４が嵌め込まれている。このことにより、ねじガイド４７がガイド固定具４０に一体的に保持されている。したがって、ねじガイド４７は、フロントパネル３０とガイド固定具４０の受け部４２との間に介在されている。
【００５０】
図３および図５に示すように、ねじガイド４７に金属製の締め付け部材５５が支持されている。締め付け部材５５は、第１の収容室１０ａに収容された回路モジュール２６，２７を筐体２に取り出し可能に固定するためのものであり、把持部５６、雄ねじ部５７およびストッパ５８を有している。
【００５１】
把持部５６は、情報処理装置１を取り扱うオペレータが手の指先で掴むことができる大きさの円柱状をなしている。把持部５６は、フロントパネル３０の通孔３２およびねじガイド４７の連通孔５０を連続して貫通するとともに、ねじガイド４７のガイド部４９ａ，４９ｂの間に介在されている。ガイド部４９ａ，４９ｂは、把持部５６の軸方向に延びている。把持部５６の外周面には、例えば手の指先で掴んだ時の滑りを防止するためのローレット加工が施されている。
【００５２】
把持部５６は、フロントパネル３０の通孔３２から露出する端面６０を有している。端面６０は、把持部５６の軸線と直交する方向に沿う平坦な面となっている。端面６０にすり割り６１が形成されている。すり割り６１は、凹状の係合部の一例であり、このすり割り６１に着脱用工具としてのドライバ６２が取り外し可能に引っ掛かるようになっている。
【００５３】
雄ねじ部５７は、把持部５６の端面６０とは反対側の端部から同軸状に突出している。雄ねじ部５７は、固定具１５のねじ孔１９にねじ込みが可能であるとともに、把持部５６よりも小さな径を有している。
【００５４】
ストッパ５８は、把持部５６と雄ねじ部５７との間に位置している。本実施の形態によると、ストッパ５８は、把持部５６の周方向に連続するフランジ状をなすとともに、把持部５６の外周面よりも径方向に沿う外側に向けて張り出している。ストッパ５８の外周面は、円弧状に湾曲されてガイド部４９ａ，４９ｂのガイド面５１ａ，５１ｂに摺動可能に接している。
【００５５】
そのため、締め付け部材５５は、ストッパ５８を介してねじガイド４７に同軸状に支持されている。それとともに、締め付け部材５５は、ストッパ５８がねじガイド４７の端板４８に突き当たる第１の位置と、ストッパ５８がガイド固定具４０の受け部４２に突き当たる第２の位置との間で直線的に移動可能となっている。
【００５６】
図５は、筐体２の第１の収容室１０ａに収容された回路モジュール２６，２７を、夫々締め付け部材５５を介して筐体２に固定した状態を開示している。図５によると、締め付け部材５５の雄ねじ部５７は、ガイド固定具４０の貫通孔４５を貫通して固定具１５のねじ孔１９にねじ込まれている。
【００５７】
このねじ込みにより、締め付け部材５５が第１の位置から第２の位置に移動している。第２の位置では、締め付け部材５５のストッパ５８がガイド固定具４０の受け部４２に突き当たって、この受け部４２を固定具１５の起立板１６に押し付けている。
【００５８】
言い換えると、締め付け部材５５のストッパ５８は、固定具１５の起立板１６との間でガイド固定具４０の受け部４２を挟み込んでいる。この結果、回路モジュール２６，２７のフロントパネル３０が開口部７を塞ぐように筐体２に固定されるとともに、フロントパネル３０の上部フランジ３６が筐体２の天板４の前縁に突き合わされている。
【００５９】
さらに、締め付け部材５５の雄ねじ部５７をねじ孔１９にねじ込んだ状態では、すり割り６１を有する把持部５６の端面６０がフロントパネル３０の通孔３２の内側に位置している。すなわち、本実施の形態では、把持部５６の端面６０がフロントパネル３０の前面から飛び出すことがないように、フロントパネル３０の前面と同一の面上に位置している。
【００６０】
図６は、筐体２に対する回路モジュール２６の固定を解除した状態を開示している。図６によると、締め付け部材５５の雄ねじ部５７がねじ孔１７から外れて、筐体２に対する締め付け部材５５のねじ込みが解除されている。
【００６１】
この結果、締め付け部材５５を第２の位置から第１の位置に移動させることができる。締め付け部材５５を第１の位置に移動させると、ストッパ５８がねじガイド４７の端板４８に引っ掛かって、締め付け部材５５をフロントパネル３０に対し脱落不能に保持している。さらに、締め付け部材５５の把持部５６の大部分が通孔３２からフロントパネル３０の前方に飛び出しており、この把持部５６の外周面を手の指先で掴むことができる。
【００６２】
次に、回路モジュール２６を筐体２の第１の収容室１０ａに収容する手順について説明する。
【００６３】
まず、回路モジュール２６のプリント回路板２９を筐体２の開口部７に挿入し、プリント回路板２９の左側縁を第１のガイド溝１２ａに差し込むとともに、プリント回路板２９の右側縁を第２のガイド溝１２ｂに差し込む。
【００６４】
この状態で、プリント回路板２９を第１および第２のガイド溝１２ａ，１２ｂに沿って第１の収容室１０ａに押し込む。プリント回路板２９が第１の収容室１０ａに完全に収容されると、プリント回路板２９の接続プラグが第１の収容室１０ａ内のコネクタに嵌合するとともに、フロントパネル３０が筐体２の開口部７を閉塞する。
【００６５】
次に、フロントパネル３０の前面から突出している締め付け部材５５の把持部５６を手の指先で掴み、この把持部５６を通孔３２内に押し込みながら締め付け方向に回転させる。この回転により、締め付け部材５５の雄ねじ部５７がねじ孔１９にねじ込まれていくとともに、把持部５６がフロントパネル３０の通孔３２内に入り込んでいく。すなわち、締め付け部材５５が第１の位置から第２の位置に向けて移動する。
【００６６】
把持部５６を手の指先で掴むことができない状態に達した時点で、把持部５６の端面６０のすり割り６１にドライバ６２を差し込み、このドライバ６２で締め付け部材５５を締め付け方向に回転させる。
【００６７】
締め付け部材５５が第１の位置から第２の位置に達すると、締め付け部材５５のストッパ５８と固定具１５の起立板１６との間でガイド固定具４０の受け部４２が挟み込まれ、回路モジュール２６のフロントパネル３０が筐体２に固定される。
【００６８】
さらに、締め付け部材５５が第２の位置に達すると、把持部５６の端面６０がフロントパネル３０の前面と同一の面上に位置する。そのため、締め付け部材５５は、フロントパネル３０の前面から飛び出すことなくフロントパネル３０と固定具１５との間に格納される。
【００６９】
一方、回路モジュール２６を筐体２から取り出すには、フロントパネル３０の通孔３２から露出されたすり割り６１にドライバ６２を差し込み、このドライバ６２で締め付け部材５５を弛める方向に回転させる。この回転により、締め付け部材５５の把持部５６が通孔３２からフロントパネル３０の前方に次第に突出する。締め付け部材５５の雄ねじ部５７がねじ孔１９から外れたならば、把持部５６の外周面を手の指先で掴んで締め付け部材５５を第１の位置に向けて引き出す。
【００７０】
第１の位置では、締め付け部材５５のストッパ５８がねじガイド４７の端板４８に引っ掛かるので、締め付け部材５５がフロントパネル８に脱落不能に保持されている。そのため、把持部５６を手の指先で掴んで引っ張ることにより、回路モジュール２６を筐体２の第１の収容室１０ａから引き出すことができる。
【００７１】
このような本発明の第１の実施の形態によれば、回路モジュール２６のフロントパネル３０を筐体２に固定した状態では、締め付け部材５５の把持部５６の端面６０がフロントパネル３０の前面と同一の面上に位置されている。
【００７２】
このため、締め付け部材５５の把持部５６がフロントパネル３０に埋め込まれたような外観を得ることができ、フロントパネル３０と把持部５６との一体感が向上する。よって、把持部５６がフロントパネル３０の周りの外観に悪影響を及ぼすことはなく、情報処理装置１の体裁が良好となる。
【００７３】
しかも、回路モジュール２６を筐体２に固定した状態では、締め付け部材５５の把持部５６がフロントパネル３０から突出せずに済むので、筐体２の手前に把持部５６を収める余分なスペースを確保する必要はない。したがって、情報処理装置１の設置場所が制約を受け難くなり、情報処理装置の据え付けを容易に行うことができる。
【００７４】
さらに、ねじ孔１９にねじ込まれた締め付け部材５５は、ドライバ６２をすり割り６１に差し込まない限り、弛める方向に回転させることができない。言い換えると、締め付け部材５５を手で簡単に弛めることができないので、回路モジュール２６を安易に筐体２から引き出すことができない。そのため、筐体２の内部の充電部に誤って触れてしまうといった不具合を回避でき、安全性が高まる。
【００７５】
加えて、ＬＡＮケーブル３４をフロントパネル３０のＬＡＮコネクタ３３に接続する時に、ＬＡＮケーブル３４が締め付け部材５５の把持部５６に絡み付くのを防止できる。そのため、ＬＡＮケーブル３４を配線するに当たって、把持部５６が作業の邪魔となることはない。
【００７６】
上記第１の実施の形態では、締め付け部材５５を第２の位置から第１の位置に向けて移動させると、ストッパ５８がねじガイド４７の端板４８に引っ掛かる。そのため、締め付け部材５５がフロントパネル３０から抜け落ちないので、締め付け部材５５の把持部５６をしっかりと掴むことができ、回路モジュール２６を筐体２から容易に引き出すことができる。
【００７７】
加えて、締め付け部材５５のストッパ５８は、ねじガイド４７のガイド面５１ａ，５１ｂの間で摺動可能に保持されている。このため、締め付け部材５５の姿勢が安定し、締め付け部材５５を第１の位置と第２の位置との間で移動させる際に、締め付け部材５５が傾いたり、径方向にがたつくのを防止できる。
【００７８】
したがって、締め付け部材５５とねじ孔１９との同軸度を維持することができ、ねじ孔１９に対する雄ねじ部５７のねじ込み操作およびねじ込みを解除する操作を容易に行なうことができる。
【００７９】
さらに、上記構成によると、締め付け部材５５の雄ねじ部５７をねじ孔１９にねじ込んだ状態では、フロントパネル３０に固定されたガイド固定具４０が筐体２の底板３および天板４に固定された固定具１５に突き当たっている。このため、フロントパネル３０は、ガイド固定具４０および固定具１５を介して筐体２に電気的に導通された状態となり、電磁波、雷サージおよび静電気に対する情報処理装置１の耐性が向上するといった利点がある。
【００８０】
本発明は上記第１の実施の形態に特定されるものではなく、発明の趣旨を逸脱しない範囲内で種々変更して実施可能である。
【００８１】
例えば、図８は本発明の第２の実施の形態を開示している。
【００８２】
この第２の実施の形態は、締め付け部材５５の雄ねじ部５７がねじ孔１９から外れた時に、締め付け部材５５の把持部５６がフロントパネル３０の前方に自動的に飛び出るようにした点に特徴があり、それ以外の情報処理装置１の基本的な構成は、第１の実施の形態と同様である。そのため、第２の実施の形態において、第１の実施の形態と同一の構成部分には同一の参照符号を付して、その説明を省略する。
【００８３】
第２の実施の形態では、ガイド固定具４０が皿ねじ４３を介してフロントパネル３０の下部フランジ３７に固定されている。さらに、締め付け部材５５は、ストッパ５８と雄ねじ部５７との間にスプリング保持部７１を有している。スプリング保持部７１は、把持部５６および雄ねじ部５７と同軸の円柱状をなしている。
【００８４】
図８に示すように、締め付け部材５５のストッパ５８とガイド固定具４０の受け部４２との間に圧縮コイルスプリング７３が介在されている。圧縮コイルスプリング７３は、弾性体の一例であって、締め付け部材５５をフロントパネル３０の通孔３２に向けて弾性的に付勢している。
【００８５】
締め付け部材５５の雄ねじ部５７がねじ孔１９にねじ込まれた状態では、スプリング保持部７１のストッパ５８とは反対側の端面がガイド固定具４０の受け部４２に突き当たっている。これにより、圧縮コイルスプリング７２がストッパ５８と受け部４２との間で圧縮されて、スプリング保持部７１の外周面上に保持されている。
【００８６】
締め付け部材５５を弛める方向に回転させていくと、雄ねじ部５７がねじ孔１９から抜け出るとともに、ストッパ５８が受け部４２から遠ざかっていく。これにより、圧縮コイルスプリング７２が次第に伸長する。雄ねじ部５７がねじ孔１９から外れると、圧縮コイルスプリング７２の付勢力によってストッパ５８がフロントパネル３０に向けて一気に押圧され、把持部５６が通孔３２からフロントパネル３０の前方に飛び出す。
【００８７】
それとともに、ストッパ５８が圧縮コイルスプリング７２の付勢力を受けてねじガイド４７の端板４８の背面に押し付けられる。この結果、締め付け部材５５が第１の位置に保持される。
【００８８】
このような構成によれば、締め付け部材５５の雄ねじ部５７がねじ孔１９から外れると、締め付け部材５５が第２の位置から第１の位置に向けて弾性的に付勢されて、把持部５６がフロントパネル３０の前方に飛び出す。
【００８９】
このため、把持部５６を手の指先で容易に掴むことができるとともに、雄ねじ部５７がねじ孔１９から外れたことを即座に知ることができる。
【００９０】
しかも、締め付け部材５５は、圧縮コイルスプリング７２によって第１の位置に保持されるので、把持部５６が通孔３２内に引っ込んだり、軸方向にすれ動くのを防止できる。この結果、把持部５６の姿勢が安定し、把持部５６を掴んで回路モジュール２６を引き出す際の作業性がより向上するといった利点がある。
【００９１】
なお、把持部の端面の係合部は、すり割りに限らず、例えば六角形状の凹部でもよい。そのため、係合部に引っ掛かる着脱用工具にしてもドライバに特定されず、例えば六角棒レンチを用いることができる。
【００９２】
さらに、上記実施の形態では、把持部の端面をフロントパネルの前面と同一の面上に位置させるようにしたが、本発明はこれに特定されない。例えば、把持部の端面をフロントパネルの前面よりも通孔の内側に引っ込ませるようにしてもよい。
【図面の簡単な説明】
【００９３】
【図１】本発明の第１の実施の形態に係る情報処理装置の斜視図。
【図２】図１のF2部を拡大して示す斜視図。
【図３】本発明の第１の実施の形態において、フロントパネル、ガイド部材、締め付け部材、ガイド固定具および固定具の相対的な位置関係を分解して示す斜視図。
【図４】本発明の第１の実施の形態に係る情報処理装置の断面図。
【図５】本発明の第１の実施の形態において、二つの回路モジュールを筐体の収容部に固定した状態を示す断面図。
【図６】本発明の第１の実施の形態において、上段に位置する回路モジュールの固定を解除した状態を示す断面図。
【図７】本発明の第１の実施の形態において、上段に位置する回路モジュールを筐体の収容部から引き出した状態を示す断面図。
【図８】本発明の第２の実施の形態に係る情報処理装置の断面図。
【符号の説明】
【００９４】
２…筐体、６…収容部、７…開口部、１５…支持体（固定具）、１９…ねじ孔、２６，２７…モジュール（回路モジュール）、２９…回路板（プリント回路板）、３０…固定物（フロントパネル）、３２…通孔、５５…締め付け部材、５６…把持部、５７…雄ねじ部、５８…ストッパ、６０…端面、６１…係合部（すり割り）、６２…着脱用工具（ドライバ）。
【図１】
2010123795.tif 000003
【図２】
2010123795.tif 000004
【図３】
2010123795.tif 000005
【図４】
2010123795.tif 000006
【図５】
2010123795.tif 000007
【図６】
2010123795.tif 000008
【図７】
2010123795.tif 000009
【図８】
2010123795.tif 000010